(57)【要約】【課題】素材の形式変換処理と複数形式での素材の登録処理を一連の処理によって自動的に行って、素材の複数形式でのビデオサーバ登録を効率化する。【解決手段】ＳＤ素材１１（ＨＤ素材１２）が入力されると、スイッチャ（分岐手段）１３が入力された素材をビデオサーバ１側への出力と形式変換のための出力とに分岐する。形式変換のために出力された素材は分離手段１５により音声データが分離されて、この音声データが音声変換処理手段１６によりＨＤ（ＳＤ）形式変換された後に結合手段１７により再び素材に合成され、この形式変換された素材もビデオサーバ１側へ出力されてファイリング登録される。【選択図】  図１
2005020336.tif 000002
【特許請求の範囲】
【請求項１】
第一の形式のビデオデータを他の形式に変換して、当該第一の形式と他の形式とである両形式のビデオデータとしてファイルする送出バンクシステムであって、
前記第一の形式と他の形式とのビデオデータを送出用にファイルするビデオサーバと、
入力されたビデオデータをビデオサーバ側への出力と形式変換のための出力とに分岐する分岐手段と、
分岐手段から形式変換のために出力されたビデオデータから音声データを分離する分離手段と、
分離手段により分離された音声データを前記他の形式へ変換する音声変換処理手段と、
形式変換された音声データを前記音声データを分離したビデオデータに再合成してビデオサーバ側へ出力する結合手段と、
を備えることを特徴とする送出バンクシステム。
【発明の詳細な説明】
【０００１】
【発明の属する技術分野】
本発明は、テレビ番組や広告（ＣＭ）などと言った映像と音声とを含むビデオデータをファイリングする送出バンクシステムに関し、特に、アナログ形式とディジタル形式などと言うように異なる種類のデータ形式によるファイリングを実現する送出バンクシステムに関する。
【０００２】
【従来の技術】
テレビジョン放送の施設では、制作録画した番組や広告などのビデオデータ（本明細書では素材とも記す。）をビデオサーバにファイリングして登録しておき、オンエアー（ＯＡ）指示などによってビデオサーバから所定のビデオデータを送出して放送する送出バンクシステムが用いられている。
【０００３】
近年のテレビジョン放送では、在来のアナログ放送に加えて、デジタル放送やハイビジョン放送などと言った放送サービスも実施されており、大きく括れば、ＳＤ（Ｓｔａｎｄａｒｄ  Ｄｅｆｉｎｉｔｉｏｎ：標準精細度）形式とＨＤ（Ｈｉｇｈ  Ｄｅｆｉｎｉｔｉｏｎ：高精細度）形式と言ったように、同じ素材を互いに異なる複数の形式でビデオサーバに登録しておく必要がある。
例えば、或る広告の素材を、ＳＤ形式である２チャネルのステレオ音声データを含んだアナログデータと、ＨＤ形式である６チャネルの５．１サラウンド音声データを含んだデジタルデータとの両方の形式でビデオサーバに登録しておき、それら２つの形式のうち、当該広告を挿入する番組の形式に対応した形式の広告素材をその番組と共に送出することにより、番組と広告との視聴違和感をなくすようにしている。
【０００４】
上記のように同じ素材をＳＤ形式とＨＤ形式等と言ったような異なる形式でそれぞれビデオサーバにファイリング登録するために、従来では、ビデオサーバにファイリング登録する前行程として、映像データと音声データとを含む元素材に対して少なくともその音声データを他の形式に音声変換し、元の形式の音声データを含む元素材とは別に、他の形式に変換された音声データを含む中間的な素材を生成して、これら両形式の素材をビデオサーバに登録していた。さらに、記録された中間的素材に対して映像データを他の形式に映像変換し、その変換された素材をビデオサーバに登録していた。
【０００５】
【発明が解決しようとする課題】
しかしながら、上記従来の方法にあっては、最終的なビデオサーバへの登録処理とは別に音声変換処理を行って、上述した中間的な素材を一担生成記録しなければならず、これら処理のための作業が煩雑となっていた。
特に、ハイビジョン放送などと言った種々な形式での放送が実施されている昨今では、上記のような形式変換を施した素材をビデオサーバに登録しておく必要性が高くなって、ビデオサーバへの登録するために素材を形式変換する処理作業の頻度が高くなっており、ビデオサーバへの登録を効率化することが重要な課題となっている。
【０００６】
本発明は上記従来の事情に鑑みなされたもので、素材の形式変換処理及び複数形式での素材の登録処理を自動的に行って、素材の複数形式でのビデオサーバ登録を効率化することができる送出バンクシステムを提供することを目的としている。
なお、本発明の更なる目的は以下の説明において明らかなところである。
【０００７】
【課題を解決するための手段】
本発明は、第一の形式のビデオデータを他の形式に変換して、当該第一の形式と他の形式とである両形式のビデオデータとしてファイルする送出バンクシステムであって、前記第一の形式と他の形式とのビデオデータを送出用にファイルするビデオサーバと、入力されたビデオデータをビデオサーバ側への出力と形式変換のための出力とに分岐する分岐手段と、分岐手段から形式変換のために出力されたビデオデータから音声データを分離する分離手段と、分離手段により分離された音声データを前記他の形式へ変換する音声変換処理手段と、形式変換された音声データを前記音声データを分離したビデオデータに再合成してビデオサーバ側へ出力する結合手段と、を備えている。
【０００８】
本発明の送出バンクシステムでは、例えば次のようにしてビデオデータ（素材）の形式変換とビデオサーバへの登録処理を行う。
ＳＤ（ＨＤ）形式のビデオデータが入力されると、分岐手段が当該入力されたビデオデータをビデオサーバ側への出力と形式変換のための出力とに分岐する。そして、分岐手段から形式変換のために出力されたビデオデータから分離手段により音声データを分離し、当該分離された音声データを音声変換処理手段がＨＤ（ＳＤ）形式へ変換し、当該形式変換された音声データを結合手段が再びビデオデータに再合成してビデオサーバ側へ出力する。すなわち、送出バンクシステムに入力されたＳＤ（ＨＤ）形式のビデオデータは、当該形式のままでビデオサーバにファイリング登録されるとともに、ＨＤ（ＳＤ）形式に変換されたビデオデータもビデオサーバにファイリング登録される。
【０００９】
したがって、例えば、ＣＭビデオデータを２チャネルのステレオ音声データの形式と６チャネルの５．１サラウンド音声データの形式との両方の形式でビデオサーバに登録する処理が迅速且つ効率的に行われる。そして、ＣＭビデオデータをＳＤ形式の番組ビデオデータに挿入する場合には前者の形式の登録ＣＭビデオデータを送出し、ＣＭビデオデータをＨＤ形式の番組ビデオデータに挿入する場合には後者の形式の登録ＣＭビデオデータを送出すると言ったようにして、番組本編とＣＭとの間で音声表現に違和感のない状態による放送サービスを煩雑な処理操作を行うことなく実現することができる。
【００１０】
なお、本発明の送出バンクシステムでは、勿論、素材ビデオデータの映像データに対して公知の方法により形式変換処理を施すようにしてもよい。
また、本発明の送出バンクシステムでは、ビデオサーバから送出するビデオデータに対してその音声データや映像データの形式変換を更に施す変換手段を設けるようにしてもよく、これによって、例えばＣＭビデオを送出時に更に形式変換して、当該ＣＭビデオを挿入する番組ビデオの形式にマッチさせるようにして、より柔軟に形式の適合性を図れるようにしてもよい。
【００１１】
【発明の実施の形態】
本発明に係る送出バンクシステムを実施例に基づいて具体的に説明する。
図２に概要を示すように、送出バンクシステムは、制作された素材（ビデオサーバへの登録前の元素材）をビデオサーバ１にファイリング登録し、上位システム２からのオンエア指示（ＯＡ指示）が送出コントローラ３を介して入力されると、ビデオサーバ１に登録された該当する素材がオンエアのために送出される。なお、ビデオサーバ１への素材の登録処理や登録された素材のレビューは登録／ＰＲＥＶ（プレビュー）卓４からの作業者の指示操作に応じて行われる。
【００１２】
図１には、本発明の一例に係る送出バンクシステムの要部構成を示してある。
本例の送出バンクシステムでは、ＳＤ形式の素材媒体１１’からのＳＤ素材１１又はＨＤ形式の素材媒体１２’からのＨＤ素材１２のいずれかが入力されると、当該入力素材を他方の形式の素材に形式変換して、元形式と変換された形式との２つの形式の素材をビデオサーバ１に入力してファイリング登録する。
【００１３】
すなわち、スイチャ１３が入力された素材１１又は１２を、そのままビデオサーバ１に出力する経路と、音声変換処理（本例では、更には映像変換処理）を施してからビデオサーバ１に出力する経路とに分岐して、ＳＤ素材１１はＳＤ形式とＳＤから形式変換したＨＤ素材との形式の異なる２つの素材としてビデオサーバ１にファイリング登録し、また、  ＨＤ素材１２はＨＤ形式とＨＤから形式変換したＳＤ素材との形式の異なる２つの素材としてビデオサーバ１にファイリング登録する。
なお、本例においては、ＳＤ素材１１については映像データと音声データとを結合手段１４により結合して、１つのビデオデータとしてスイチャ１３に入力している。
【００１４】
ビデオサーバ１は、入力された素材を記憶保持する大容量のメモリを備え、上位システム２からのＯＡ指示に応じて該当する素材を送出するサーバコンピュータで構成されている。
スイチャ１３は、データ線をマトリクス状に配して、データ線の交差接点を登録／ＰＲＥＶ卓４からの指示操作に応じて接／断するマトリクススイッチ回路であり、後述するように、データ線間の接続状態の設定に応じて、素材１１又は１２をビデオサーバ１にそのまま出力する経路と変換処理を施す経路とに分岐する分岐手段を構成している。なお、この分岐手段は、入力された素材をビデオサーバ側と変換処理側との２つの出力に分岐する公知の単純な分岐回路であってもよい。
【００１５】
スイチャ１３から変換処理側に出力される素材１１又は１２は、分離手段１５によりその映像データと音声データとに分離され、分離された音声データは音声変換処理手段１６によりＳＤとＨＤとの間の形式変換が施された後の結合手段１７により映像データに再び合成される。
なお、本例においては、音声データの形式変換処理の後に映像データについても映像変換処理手段１８により形式変換処理してビデオサーバ１へ出力するが、映像データの形式変換処理を行わない場合には、結合手段１７からの出力ビデオデータをビデオサーバ１に入力すればよい。
【００１６】
分離手段１５や結合手段１７はビデオデータを構成するデータ部を分離又は合成処理する公知の機能回路により構成される。また、音声変換処理手段１６は音声データのチャネル数をそのビデオデータの形式に応じて増減させる公知の機能回路により構成され、映像変換処理手段１８は映像データをそのビデオデータの形式に応じて変換する公知の機能回路により構成される。
【００１７】
図３には音声変換処理手段１６の一例を示してあり、この音声変換処理手段１６は、音声データのＣＨ１〜ＣＨ８の８つのチャネル及び無音並びに５．１サラウンドからステレオへの変換入力をオン／オフするマトリックススイッチ２１、音声データのＣＨ１〜ＣＨ４の４つのチャネルを受けもつ変換回路２２、音声データのＣＨ５〜ＣＨ８の４つのチャネルを受けもつ変換回路２３を有している。２つのチャネルを合わせたデータ線から入力された音声データをマトリックススイッチ２１により変換回路２２と２３とに振り分け、変換回路２２と２３では、ＣＨ分割器２４で１データ線の音声データを２つのチャネルに分離し、加算器（ａ＋ｂ）２５で２つの音声データチャネルを加算し、ＣＨ結合器２６で２つの音声データチャネルを結合させると言った処理を行う。
【００１８】
音声変換処理手段１６では、登録／ＰＲＥＶ卓４からの指示操作に応じてデータ線の交差接点を接／断設定することにより、このような各部の処理を変換形式に応じて選択的に行わせて入力された音声データを所定の形式に形式変換して結合手段１７へ出力する。
【００１９】
例えば、ＣＨ１を左側音声チャネルとしＣＨ２を右側音声チャネルとした２チャネルステレオ音声のＳＤデータを８チャネルステレオ音声のＨＤデータに変換する場合には、図３中に○印で示すようにデータ線を接続させることにより、ＣＨ１、ＣＨ３、ＣＨ５、ＣＨ７をそれぞれ左側音声チャネルとしＣＨ２、ＣＨ４、ＣＨ６、ＣＨ８をそれぞれ右側音声チャネルとしたＨＤ形式に変換することができる。また、例えば、８チャネルモノラル音声のＨＤデータを２チャネルモノラル音声のＳＤデータに変換する場合には、図３中に×印で示すようにデータ線を接続させることにより、ＣＨ１とＣＨ２とをそれぞれ音声チャネルとしたＳＤ形式に変換することができる。
【００２０】
図１に戻って、上記のように音声データの形式変換処理が施された素材はスイッチャ１３を介して映像変換処理手段１８に入力され、映像データの形式変換処理が施されて再びスイッチャ１３を介してビデオサーバ１に出力されてファイリング登録される。
なお、本例では、映像変換処理手段１８を経由したビデオサーバ１への経路設定をスイッチャ１３による切替え機能を利用して構成しているが、これを別個な回路として構成するようにしてもよい。
【００２１】
上記構成の送出バンクシステムによると、ＳＤ素材１１をビデオサーバ１に登録する場合には、登録／ＰＲＥＶ卓４からの指示操作で図１中に○印で示すようにスイッチャ１３のデータ線を接続させる。これによって、結合手段１４を介してスイッチャ１３に入力されたＳＤ素材１１は、そのままビデオサーバ１に出力されるとともに、分離手段１５、音声変換処理手段１６、結合手段１７を通して音声データが所定のＨＤ形式に変換され、更に、映像変換処理手段１８を通して映像データが所定のＨＤ形式に変換されて、ＨＤ形式素材としてもビデオサーバ１に出力されて、同じ内容の素材がＳＤ素材とＨＤ素材との２つの形式でビデオサーバ１にファイリング登録される。
【００２２】
また、ＨＤ素材１２をビデオサーバ１に登録する場合には、登録／ＰＲＥＶ卓４からの指示操作で図１中に×印で示すようにスイッチャ１３のデータ線を接続させる。これによって、スイッチャ１３に入力されたＨＤ素材１２は、そのままビデオサーバ１に出力されるとともに、分離手段１５、音声変換処理手段１６、結合手段１７を通して音声データが所定のＳＤ形式に変換され、更に、映像変換処理手段１８を通して映像データが所定のＳＤ形式に変換されて、ＳＤ形式素材としてもビデオサーバ１に出力されて、同じ内容の素材がＨＤ素材とＳＤ素材との２つの形式でビデオサーバ１にファイリング登録される。
【００２３】
したがって、ビデオサーバ１への登録処理に際して、音声データ（更には、映像データ）の他形式への変換処理が自動的に行われ、異なる複数の形式による素材の登録がなされる。したがって、ハイビジョン方法などと言った種々な形式の放送に対応したビデオサーバ１からの送出を迅速且つ効率的に行うことができる。
【００２４】
なお、本例では、ビデオサーバ１からの素材送出を変換手段１９を介して行うようにして、この送出時において音声データの形式変換を更に行うことができるようにしている。この変換手段１９は、分離手段１５、音声変換処理手段、結合手段１７を備えた構成であり、例えば、数多くの番組に挿入される同じＣＭ素材の音声形式をこれら番組毎のデータ形式に送出時にも柔軟に対応させることができる用にしている。
【００２５】
図４には、本発明の他の一例に係る送出バンクシステムの要部構成を示してある。
なお、本例は上記の例に対して映像変換処理手段１８の配置を変更したものであり、同一な構成部分には同一符号を付して重複する説明は省略する。
【００２６】
本例に係る送出バンクシステムでは、映像変換処理手段１８を音声変換処理手段１６と並列に設け、分離手段１５により分離した音声データを音声変換処理手段１６で形式変換処理すると同時に映像データを映像変換処理手段１８で形式変換処理し、これら変換された音声データと映像データとを結合手段１７で再合成してビデオサーバ１に登録するようにしている。したがって、上記実施例に較べて、音声変換処理後のビデオデータを映像変換処理手段１８へ導くための経路を敢えて造る必要がないので回路設計が簡素化し、また、音声変換処理と映像変換処理とが並列処理されて総じて変換処理が迅速化される。
【００２７】
【発明の効果】
以上説明したように、本発明に係る送出バンクシステムによると、素材の形式変換処理と複数形式での素材の登録処理とが一連の処理によって自動的に行われるため、素材の複数形式でのビデオサーバ登録を効率化することができ、特に、昨今の放送サービスの多様化によるニーズを満足させることができる。
【図面の簡単な説明】
【図１】本発明の一実施例に係る送出バンクシステムの主要構成を示す図である。
【図２】本発明の一実施例に係る送出バンクシステムの概略構成を示す図である。
【図３】本発明に係る音声変換処理手段の一例を示す図である。
【図４】本発明の他の一実施例に係る送出バンクシステムの主要構成を示す図である。
【符号の説明】
１：ビデオサーバ、  １１：ＳＤ素材、
１２：ＨＤ素材、  １３：スイッチャ（分岐手段）、
１５：分離手段、  １６：音声変換処理手段、
１７：結合手段、  １８：映像変換処理手段、
１１’：ＳＤ形式の素材媒体、  １２’：ＨＤ形式の素材媒体、
【図１】
2005020336.tif 000003
【図２】
2005020336.tif 000004
【図３】
2005020336.tif 000005
【図４】
2005020336.tif 000006